(57)【要約】【課題】確実な天板の保持が得られる構成において、枠体が電気的に外郭の漏洩電流の影響を受けにくくすること。【解決手段】天板３１と天板３１を支持する支持体３２とを機械的に挟着する枠体３５とを備えた構成において、枠体３５と外郭３６間の電気導通を防止するための電気的絶縁部４５、空間、絶縁シート５０を支持体３２と外郭３６間に介在させることにより、機械的に挟着による確実な天板３１の保持と、外郭３６の漏洩電流が枠体３５へ流れることを防止することによる安定した枠体の電気的環境が得られる。【選択図】図２
2012243602.tif 000002
【特許請求の範囲】
【請求項１】
本体下部を構成する外郭と、鍋を載置する天板と、前記天板を下方から支持すると共に前記外郭に固定される支持体と、前記天板の端面部を覆設すると共に前記支持体の外縁下部近傍に係合させることにより前記天板、前記支持体を機械的に狭着する枠体とを備え、前記枠体と前記外郭間の電気導通を防止するための電気的絶縁部を前記支持体と前記外郭間または前記枠体と前記支持体間またはその両方に介在させた誘導加熱調理器。
【請求項２】
電気的絶縁部は、支持体と外郭との間に固定された絶縁部材と、前記支持体と前記外郭との間に形成された空間で構成された請求項１に記載の誘導加熱調理器。
【請求項３】
絶縁部材は、支持体または外郭のいずれか一方に係合固定され、他方と前記絶縁部材は、ねじ締結により固定された請求項２に記載の誘導加熱調理器。
【請求項４】
絶縁部材は、支持体または外郭のいずれか一方に係合固定され、他方と前記絶縁部材との固定は、他方と前記絶縁部材に保持された金属製の固定部とのねじ締結により行われた請求項２に記載の誘導加熱調理器。
【請求項５】
支持体、外郭、固定部の絶縁部材に対する当接部のうち少なくとも一部は、前記支持体、前記外郭、前記固定部を構成する部材のフランジ面などで形成された平面部で構成した請求項４に記載の誘導加熱調理器。
【請求項６】
固定部は、絶縁部材に対して略水平方向にスライドさせて固定した請求項４または５に記載の誘導加熱調理器。
【請求項７】
固定部を絶縁部材に埋め込まれたナットで構成した請求項４に記載の誘導加熱調理器。
【発明の詳細な説明】
【技術分野】
【０００１】
本発明は、一般家庭等で使用される誘導加熱調理器に関する。
【背景技術】
【０００２】
従来、この種の誘導加熱調理器のトップ部の構成としては、天板の端面部を覆う枠体に爪を設け、天板と天板を下方から支持する支持体とを前記爪により機械的に挟着したものがあった（例えば、特許文献１参照）。
【０００３】
図８は、従来の誘導加熱調理器のトップ部近傍の縦断面図である。図８に示すように、従来の誘導加熱調理器は、鍋を載置するセラミックプレート等で構成された天板１１が支持体１２の天板支持面１３によって下方から支持されている。両者は耐熱性の接着剤１４で接着固定されている。天板１１の側面部には全周を覆うように覆設された枠体１５が設けられており、前者同様、両者は接着剤１４で固定されている。支持体１２の内部には本体を構成する外郭１６を備えている。天板支持面１３より外側には本体支持面１７が形成され、本体支持面１７がキッチンキャビネット１８に載ることで本体は支持されている。枠体１５には各４辺の下面に複数の爪１９を有し、トップ部の組立時に本体支持面１７にかしめてかかえられている。鍋を加熱させる加熱コイルユニット２０が２つ備えられ、コイル支持台２１のボス２２に入れられた各々３個ずつのバネ２３で天板１１との一定した隙間を確保するために天板１１裏面に押し付けられている。このような構成において、枠体１５に設けられた複数の爪１９は支持体１２を構成する本体支持面１７をかかえるように各面４編ともかしめられている。次に天板１１は支持体１２を構成する天板支持面１３上に載置、固定されている。つまり、この状態において、天板１１は爪１９を介することで、枠体１５と支持体１２によって、機械的に狭着、保持されている。それに本体内への水浸入の防止のためのシールの役目をも果たす接着剤１４が備えられていることで、天板１１は確実に強固に取り付けられている。かしめにより機械的な保持が大きくなされることで、接着剤１４の量を大きく減らすことができている。
【０００４】
このような従来の誘導加熱調理器のトップ部の構成は、枠体に設けられた爪で支持体の本体支持面をかかえるようにかしめ、天板を機械的に挟着、保持させることで、接着剤の量を大幅に減らすことができ、かつ確実にトップ部として天板を保持させることができるものであった。
【先行技術文献】
【特許文献】
【０００５】
【特許文献１】特開２００５−２６５２１１号公報
【発明の概要】
【発明が解決しようとする課題】
【０００６】
従来の構成のような誘導加熱調理器は、上記のように加熱コイルユニット２０がバネ２３によって天板１１裏面に押し付けられていたり、加熱コイルユニット２０等の内部部品の重量を支える外郭１６がキャビネット１８から吊り下げられた構成をとっていたりするため、外殻１６と支持体１２との接続部には常に引き剥がし方向の力がかかるため、ねじ止めのような確実な固定が必要となる。しかしながら、ねじ止めのような固定方法が採用され、外郭１６が板金で構成されている場合、外郭１６と支持体１２、支持体１２と枠体１５はねじや接触面を介して電気的に導通するため、外郭の漏洩電流が増加すると枠体の漏洩電流も同様に増加しやすいという課題を有していた。
【０００７】
本発明は、前記従来の課題を解決するもので、確実な天板の保持が得られる構成において、枠体が電気的に外郭の漏洩電流の影響を受けにくい誘導加熱調理器を提供することを目的とする。
【課題を解決するための手段】
【０００８】
前記従来の課題を解決するために、天板と支持体を枠体によって機械的に狭着する構成において、枠体と外郭間の電気導通を防止するための電気的絶縁部を支持体と外郭間または枠体と支持体間またはその両方に介在させる構成とした。
【０００９】
このように、天板と支持体を枠体によって機械的に狭着するため確実な天板の保持が得られ、電気的絶縁部を外郭から枠体の間の電気的導通経路内に介在させて、外郭の漏洩電流が枠体へ流れることを防止することにより、枠体が電気的に外郭の漏洩電流の影響を受けにくくなり、枠体における安定した電気的環境が得られる。
【発明の効果】
【００１０】
本発明の誘導加熱調理器は、確実な天板の保持が得られると同時に、枠体における安定した電気的環境が得られるものである。
【図面の簡単な説明】
【００１１】
【図１】本発明の実施の形態１における誘導加熱調理器の斜視図
【図２】本発明の実施の形態１における誘導加熱調理器の主要部断面図
【図３】本発明の実施の形態１における絶縁部材の斜視図
【図４】本発明の実施の形態２における誘導加熱調理器の主要部断面図
【図５】本発明の実施の形態２における絶縁部材の斜視図
【図６】本発明の実施の形態３における誘導加熱調理器の主要部断面図
【図７】本発明の実施の形態３における絶縁部材の斜視図
【図８】従来の誘導加熱調理器の主要部断面図
【発明を実施するための形態】
【００１２】
第１の発明は、本体下部を構成する外郭と、鍋を載置する天板と、前記天板を下方から支持すると共に前記外郭に固定される支持体と、前記天板の端面部を覆設すると共に前記支持体の外縁下部近傍に係合させることにより前記天板、前記支持体を機械的に挟着する枠体とを備えた構成において、前記枠体と前記外郭間の電気導通を防止するための電気的絶縁部を前記支持体と前記外郭間または前記枠体と前記支持体間またはその両方に介在させたことにより、天板と支持体を枠体によって機械的に狭着するため確実な天板の保持が得られ、電気的絶縁部を外郭から枠体の間の電気的導通経路内に介在させて、外郭の漏洩電流が枠体へ流れることを防止することにより、枠体が電気的に外郭の漏洩電流の影響を受けにくくなり、枠体における安定した電気的環境が得られる。
【００１３】
第２の発明は、特に、第１の発明の電気的絶縁部を支持体と外郭との間に固定された絶縁部材と前記支持体と前記外郭との間に形成された空間で構成したことにより、部分的な絶縁部材の使用で済むため、外郭の全集を囲む様な大きい枠状の部材が不要となり、簡単で安価な構成が実現できる。
【００１４】
第３の発明は、特に、第２の発明の絶縁部材を支持体または外郭のいずれか一方に係合固定し、他方と前記絶縁部材は、ねじ締結により固定した構成としたことにより、支持体または外郭への絶縁部材の固定が簡略化され組立て性が向上すると同時に、ねじ締結により、支持体と外郭との確実な固定が実現できる。
【００１５】
第４の発明は、特に、第２の発明の絶縁部材を支持体または外郭のいずれか一方に係合
固定し、他方と前記絶縁部材との固定は、他方と前記絶縁部材に保持された金属製の固定部とのねじ締結によって行ったことにより、支持体または外郭への絶縁部材の固定が簡略化され、組立て性が向上すると同時に、ねじを金属製の固定部にねじ込むため、締結部がより強固になり、支持体と外郭との固定をより一層確実にすることができる。
【００１６】
第５の発明は、特に、第４の発明の支持体、外郭、固定部の絶縁部材に対する当接部のうち少なくとも一部は、前記支持体、前記外郭、前記固定部を構成する部材のフランジ面などで形成された平面部で構成したことにより、前記絶縁部材における板金部材等の当接による応力を緩和することができ、絶縁部材の経年劣化を緩和することができる。
【００１７】
第６の発明は、特に、第４または第５の発明の固定部を絶縁部材に対して略水平方向にスライドさせて固定したことにより、支持体と外郭の固定時に固定部にかかる力の方向と、本体設置時に固定部にかかる力の方向が共に鉛直方向であるのに対して、固定部の係合方向を略水平方向にしているため、係合が外れることなく安定した固定状態を保持することができる。
【００１８】
第７の発明は、特に、第４の発明の固定部を絶縁部材に埋め込まれたナットで構成したことにより、簡単かつ安価な構成で第４の発明と同等の締結力を実現することができる。
【００１９】
以下、本発明の実施の形態について、図面を参照しながら説明する。なお、この実施の形態によって本発明が限定されるものではない。
【００２０】
（実施の形態１）
図１、２、３は、本発明の第１の実施の形態における誘導加熱調理器の斜視図、主要部断面図、絶縁部材の斜視図を示すものである。
【００２１】
図１、２、３において、鍋を載置するセラミックプレート等で構成された天板３１が板金製の支持体３２の天板支持面３３によって下方から支持されている。両者は耐熱性の接着剤３４で接着固定されている。天板３１の側面部には全周を覆うように覆設されたステンレス製の枠体３５が設けられており、前者同様、両者は接着剤３４で固定されている。支持体３２の外側下部には本体を構成する板金製の外郭３６を備えている。天板支持面３３より外側には本体支持面３７が形成され、本体支持面３７の下部を枠体３５の下面係合部３８がかかえる様に係合しており、下面係合部３８が外部からの水の浸入を防止するためのパッキン３９を介してキャビネット４０に載ることで本体は支持されている。鍋を加熱させる加熱コイルユニット４１が本体内に４つ備えられ、コイル支持台４２のボス５５に入れられた各々３個ずつのバネ５６で天板３１との一定した隙間を確保するために天板３１裏面に押し付けられている。
【００２２】
支持体３２は下方に延びるフランジ部４３を有しており、このフランジ部に設けられた開口４４に樹脂等の絶縁材料からなる絶縁部材４５が図３に示す爪４６により係合固定されている。外郭３６と支持体３２との固定は、絶縁部材４５の穴４８にねじ４７をねじ込んで外郭３６と絶縁部材４５を締結することにより行われる。この締結部の構成は本体の周囲４辺において、前後３箇所、左右２箇所設けられている。外郭３６と支持体３２とは、締結部においては絶縁部材４５により絶縁されており、締結部以外の箇所は外郭３６と支持体３２の間に形成された空間によって絶縁されている。また、外郭３６の上部端面に形成された外郭フランジ４９と支持体３２の間の絶縁は、隙間が狭いため、絶縁シート５０により行われている。したがって、外郭３６と支持体３２との間に介在する電気的絶縁部は絶縁部材４５、空間、絶縁シート５０により構成されている。
【００２３】
絶縁部材４５に対する支持体３２の縦方向の当接部は支持体のフランジ面５１で形成さ
れた平面部で構成されている。
【００２４】
以上のように構成された誘導加熱調理器の構成について、以下その動作、作用を説明する。枠体３５に設けられた下部係合部３８は支持体３２を構成する本体支持面３７をかかえるように係合固定されている。次に天板３１は支持体３２を構成する天板支持面３３上に載置、固定されている。つまり、この状態において、天板３１は下部係合部３８を介することで、枠体３５と支持体３２によって、機械的に挟着、保持されている。それに本体内への水浸入の防止のためのシールの役目をも果たす接着剤３４が備えられていることで、天板３１は確実に強固に取り付けられている。枠体３５の係合固定により機械的な保持が大きくなされることで、接着剤３４の量を大きく減らすことができている。
【００２５】
また、本実施の形態は、外郭３６と支持体３２との間の電気的導通経路内に絶縁部材４５、空間、絶縁シート５０により電気的絶縁部を介在させた構成をとっており、外郭３６の漏洩電流が枠体３５へ流れることを防止することにより、枠体３５が電気的に外郭３６の漏洩電流の影響を受けにくくなっている。
【００２６】
また、電気的絶縁部を支持体３２と外郭３６との間に固定された絶縁部材４５と支持体３２と外郭３６との間に形成された空間で構成したことにより、部分的な絶縁材料の使用で済むため、外郭の全集を囲む様な大きい枠状の部材が不要にしている。
【００２７】
また、絶縁部材４５を支持体３２に爪４６によって係合固定し、外郭３６と絶縁部材４５は、ねじ４７による締結で固定した構成としており、支持体３２への絶縁部材４５の固定が簡略化されている。
【００２８】
また、支持体３２の絶縁部材４５に対する当接部をフランジ面５１で形成された平面部で構成したことにより、絶縁部材４５における支持体３２の当接による鉛直方向の応力を緩和している。
【００２９】
以上のように、本実施の形態は、枠体で支持体の本体支持面をかかえるように係合し、天板を機械的に狭着、保持させることで、接着剤の量を大幅に減らすことができ、かつ確実にトップ部として天板を保持させることができるものである。
【００３０】
更に、本実施の形態は、電気的絶縁部を外郭から枠体の間の電気的導通経路内に介在させて、外郭の漏洩電流が枠体へ流れることを防止することにより、枠体が電気的に外郭の漏洩電流の影響を受けにくくなり、枠体における安定した電気的環境が得られるものである。また、電気的絶縁部を支持体と外郭との間に固定された絶縁部材と、支持体と外郭との間に形成された空間で構成したことにより、部分的な絶縁部材の使用で済むため、外郭の全集を囲む様な大きい枠状の部材が不要となり、簡単で安価な構成が実現できるものである。また、絶縁部材を支持体に係合固定し、外郭と絶縁部材は、ねじ締結により固定した構成としたことにより、支持体または外郭への絶縁部材の固定が簡略化され組立て性が向上すると同時に、ねじ締結により、支持体と外郭との確実な固定が実現できるものである。また、支持体、外郭、固定部の絶縁部材に対する当接部をフランジ面で形成された平面部で構成したことにより、前記絶縁部材における板金部材等の当接による応力を緩和することができ、絶縁部材の経年劣化を緩和することができるものである。
【００３１】
（実施の形態２）
図４、５は、本発明の第２の実施の形態における誘導加熱調理器の主要部断面図、絶縁部材の斜視図を示すものである。
【００３２】
図４、５において、構成部材である３１から５１は実施の形態１と同様であるため、説
明を省略する。絶縁部材４５にはバーリング部５３を有する金属製の固定部５２が係合により保持されている。絶縁部材４５と固定部５２の係合は図５に示した矢印の方向すなわち略水平方向にスライドさせることにより行われる。外郭３６と支持体３２との固定は、固定部５２のバーリング部５３にねじ４７をねじ込み、外郭３６と固定部５２を、絶縁部材４５をはさんで締結することにより行われる。
【００３３】
絶縁部材４５に対する固定部５２の縦方向の当接部は固定部のフランジ面５１で形成された平面部で構成されている。
【００３４】
以上のように構成された誘導加熱調理器の構成について、以下その動作、作用を説明する。本実施の形態は、実施の形態１における動作、作用に加え、次のような動作、作用を有する。外郭３６と絶縁部材４５との固定は、外郭３６と絶縁部材４５に保持された金属製の固定部５２とのねじ締結によって行うため、締結部がより強固になる。
【００３５】
また、固定部５２を絶縁部材４５に対して略水平方向にスライドさせて固定することにより、支持体３２と外郭３６の固定時に固定部５２にかかる力の方向と、本体設置時に固定部５２にかかる力の方向が共に鉛直方向であるのに対して、固定部５２の係合方向を略水平方向にしているため、係合が外れにくくなる。
【００３６】
また、固定部５２の絶縁部材４５に対する当接部をフランジ面５１で形成された平面部で構成したことにより、絶縁部材４５における固定部５２の当接による鉛直方向の応力を緩和している。
【００３７】
以上のように、本実施の形態は、実施の形態１と同様の効果に加え、次のような効果を有する。外郭と絶縁部材との固定を、絶縁部材に保持された金属製の固定部とのねじ締結によって行ったことにより、締結部がより強固になり、支持体と外郭との固定をより一層確実にすることができる。
【００３８】
また、固定部を絶縁部材に対して略水平方向にスライドさせて固定したことにより、支持体と外郭の固定時に固定部にかかる力の方向と、本体設置時に固定部にかかる力の方向が共に鉛直方向であるのに対して、固定部の係合方向を略水平方向にしているため、係合が外れることなく安定した固定状態を保持することができる。
【００３９】
（実施の形態３）
図６、７は、本発明の第３の実施の形態における誘導加熱調理器の主要部断面図、絶縁部材の斜視図を示すものである。
【００４０】
図６、７において、構成部材である３１から５１は実施の形態１と同様であるため、説明を省略する。絶縁部材４５は金属製のナット５４をインサート成型した構成としている。
【００４１】
以上のように構成された誘導加熱調理器の構成について、以下その動作、作用を説明する。本実施の形態は、実施の形態１における動作、作用に加え、次のような動作、作用を有する。実施の形態２における固定部を絶縁部材４５に埋め込まれたナット５４で構成したことにより、簡単かつ安価な構成で実施の形態２と同等の締結力を実現することができる。
【００４２】
以上のように、本実施の形態は、実施の形態１と同様の効果に加え、ナットをインサート成型した絶縁部材を使用することにより簡単かつ安価な構成で実施の形態２と同等の締結力を実現することができる。
【００４３】
なお、以上に述べた実施の形態１から３では絶縁部材をねじ止めと爪による係合で固定する構成をとっているが、これは、接着固定を採用しないことにより、経年劣化が無くより確実な固定が実現できるからであり、枠体への漏洩電流抑制効果は接着のみによっても得られることは明らかである。また、絶縁部材を支持体に係合固定し、外郭にねじ止めした構成を採用しているが、外郭に係合固定、支持体にねじ止めした構成でもよい。また、枠体と支持体を別体で構成しているが、枠体と支持体を一体で構成してもよいことは明らかである。枠体と支持体の間を絶縁シートなどで絶縁しても同様の漏洩電流抑制効果が得られる。この場合、外郭と支持体との間の電気的絶縁部が不要となるため構成が簡単になるがトップ部の厚みが増加するため、トップ部をより薄型にしたい場合は実施の形態１から３が有効である。
【産業上の利用可能性】
【００４４】
以上のように、本発明にかかる誘導加熱調理器は、トップ部が強固で安定した構成となるので、ビルトイン型のあらゆる機器（調理機器、家事機器等）の用途に適用できる。
【符号の説明】
【００４５】
３１  天板
３２  支持体
３５  枠体
３６  外郭
４５  絶縁部材（電気的絶縁部）
４６  爪
４７  ねじ
５０  絶縁シート
５１  フランジ面（平面部）
５２  固定部
５３  バーリング部
５４  ナット
【図１】
2012243602.tif 000003
【図２】
2012243602.tif 000004
【図４】
2012243602.tif 000005
【図５】
2012243602.tif 000006
【図６】
2012243602.tif 000007
【図３】
2012243602.tif 000008
【図７】
2012243602.tif 000009
【図８】
2012243602.tif 000010